(57)【要約】【課題】リレーソケットからリレー装置を取り外した場合であっても、特別な配線変更をする必要がなく、且つ内部の回路構成を自在に変更可能な接続端子カバーを提供する。【解決手段】接続端子カバー（ソケットカバー１）は、ソケット側接続端子のうちの少なくとも一部のソケット側接続端子と１対１で導通可能な複数のカバー側接続端子１０と、各カバー側接続端子と１対１で導通する複数の内部接続端子４３、及び各内部接続端子間を任意に断接可能なジャンパー部材４５を有した代替回路形成部４０と、を備えている。  内部接続端子間をジャンパー部材にて任意に断接することによって、代替回路形成部内に形成する回路の構成を自在に変更可能である。従って、リレー接続装置側において特別な配線変更をしなくても、接続端子カバーの代替回路形成部によって所望の代替回路を形成することができる。【選択図】図１
2016152201.tif 000002
【特許請求の範囲】
【請求項１】
ソケット側接続端子を有したリレー接続装置に対して着脱自在に装着可能な接続端子カバーであって、
前記ソケット側接続端子のうちの少なくとも一部のソケット側接続端子と１対１で導通可能な複数のカバー側接続端子と、前記各カバー側接続端子と１対１で導通する複数の内部接続端子、及び前記各内部接続端子間を任意に断接可能なジャンパー部材を有した代替回路形成部と、を備えたことを特徴とする接続端子カバー。
【請求項２】
ソケット側接続端子を有したリレー接続装置に対して、着脱自在に装着可能な接続端子カバーであって、
ケーシングと、
任意の前記ソケット側接続端子と１対１で導通可能、且つ前記ケーシングに対して夫々着脱自在に構成された複数のカバー側接続端子、及び前記各カバー側接続端子間を電気的に接続する接続部材を備えた少なくとも１つのジャンパー部材を含む代替回路形成部と、を備えたことを特徴とする接続端子カバー。
【請求項３】
前記カバー側接続端子を前記ケーシングに固定する固定手段を備えたことを特徴とする請求項２に記載の接続端子カバー。
【請求項４】
前記代替回路形成部を収容するケーシングと、前記ケーシングに設けた開口部を開閉する蓋部材を備え、前記蓋部材は前記代替回路形成部を外部から視認可能な透明な素材から形成されていることを特徴とする請求項１乃至３の何れか一項に記載の接続端子カバー。
【発明の詳細な説明】
【技術分野】
【０００１】
本発明は、制御盤等に設置されるリレー接続装置に対してリレー装置の代わりに取り付けられる接続端子カバーに関し、特に、リレー接続装置に装着されていたリレー装置が不要となった場合に、リレー接続装置の撤去及び配線変更をすることなく、回路変更が可能な接続端子カバーに関する。
【背景技術】
【０００２】
金属閉鎖型スイッチギヤに内蔵された制御盤には、電力用のリレー装置を取り付ける為のリレーソケット（リレー接続装置）が設けられている。
図６は、リレーソケットの上面図である。リレーソケット１００はリレー装置が着脱自在に装着されるソケットであり、ベース１０１と、ベース１０１の上面１０１ａ（一面）に形成された雌型のソケット側接続端子１０３（１０３ａ〜１０３ｄ）と、外部配線を接続するための導体からなる複数の外部接続端子１０５（１０５ａ〜１０５ｄ）とを備えている。各外部接続端子１０５は、各ソケット側接続端子１０３と１対１で電気的に接続されている。
図７は、リレー装置を示す図であり、（ａ）は斜視図であり、（ｂ）は底面図である。リレーソケット１００（図６）に対して着脱自在に装着されるリレー装置１２０は、例えばパワーリレーや、ラッチングリレー、ソリッドステートタイマ、ボルティジセンサ等である。リレー装置１２０は、各ソケット側接続端子１０３と導通する雄型のリレー側接続端子１２１（１２１ａ〜１２１ｄ）、及び、リレー側接続端子１２１と電気的に接続した所定のリレー回路（不図示）を備えている。各リレー側接続端子１２１が各ソケット側接続端子１０３に嵌合することにより、リレー装置１２０は、リレーソケット１００に対して電気的・機械的に固定される。
なお、リレーソケット１００の上面１０１ａには、リレーソケット１００に対してリレー装置１２０を正しい位置関係で装着するためのガイド手段１０７が設けられている。また、リレー装置１２０の底面１２０ａには、ガイド手段１０７と対となる被ガイド手段１２３が設けられている。ガイド手段１０７、及び被ガイド手段１２３は、ベース１０１、及びリレー装置１２０の夫々に非対称な形状に構成されることにより、リレーソケット１００に対してリレー装置１２０を特定の向きにのみ装着可能にする。
【０００３】
経年劣化等により不良となったリレー装置１２０や、電気系統の変更により不要となったリレー装置は、リレーソケット１００から取り外される。このような場合に、従来は、リレーソケット１００に接続されていた全ての外部配線１１０をリレーソケット１００から取り外し、リレーソケット１００を撤去した上で、外部配線の再接続作業を行っていた。
しかし、リレーソケット１００が取り付けられている金属閉鎖型スイッチギヤ内は狭小な空間であるため、配線変更作業は容易ではない。また、配線変更を行うには、外部配線がどのような配線ルートを通ってどの装置と接続されているのか、配線変更をした場合にはどのようなルートで再配線するのか、といったことを事前に調査する必要がある。リレーソケット１００の端子数が多いほど、即ちリレーソケット１００に接続された外部配線が多ければ多いほど、この作業は繁雑となる。
【０００４】
また、リレーソケット１００からリレー装置１２０を取り外すと回路が開放状態（回路停止状態）になるため、制御盤に接続された周辺機器の誤動作や不動作等が発生する虞がある。このような事態を防止するべく、特許文献１には、リレーソケット１００に装着されたときに、所定の閉回路を形成可能なアダプタが記載されている。
アダプタは、リレーソケットとリレー装置との間に挿入される器具であり、ケースの上面にリレー装置側の雄型の端子が嵌合する雌型の端子を備え、ケースの下面にリレーソケット側の雌型の端子に対して嵌合する雄型の端子を備えている。また、ケースの上面には押圧により内部回路の切替を行うスイッチを備えている。スイッチは、リレー装置が装着されたときにリレー装置からの押圧により動作して、内部回路を切り替える。
アダプタにリレー装置を装着した場合、アダプタは単なる信号の経由を行うに過ぎず、電気的には、ソケットにリレー装置を直接接続した場合と同様の回路が形成される。一方で、アダプタからリレー装置を取り外した場合には、スイッチの押圧が解除されて、アダプタ内に自動的に閉回路を形成するように構成されている。その結果、アダプタからリレー装置が取り外された場合であっても、回路の開放を阻止することができる。
【先行技術文献】
【特許文献】
【０００５】
【特許文献１】特開２０１３−２０８６１公報
【発明の概要】
【発明が解決しようとする課題】
【０００６】
しかし、特許文献１に記載の発明では、アダプタの内部に形成された回路は固定的である。このため、リレーソケットに接続される外部配線の接続構成に応じた閉回路を形成するには、形成する閉回路の構成に応じたアダプタを複数種類用意する必要がある。
本発明は上述の事情に鑑みてなされたものであり、リレーソケットからリレー装置を取り外した場合であっても、特別な配線変更をする必要がなく、且つ内部の回路構成を自在に変更可能な接続端子カバーを提供することを目的とする。
【課題を解決するための手段】
【０００７】
上記の課題を解決するために、請求項１に記載の発明は、ソケット側接続端子を有したリレー接続装置に対して着脱自在に装着可能な接続端子カバーであって、前記ソケット側接続端子のうちの少なくとも一部のソケット側接続端子と１対１で導通可能な複数のカバー側接続端子と、前記各カバー側接続端子と１対１で導通する複数の内部接続端子、及び前記各内部接続端子間を任意に断接可能なジャンパー部材を有した代替回路形成部と、を備えたことを特徴とする。
【０００８】
請求項２に記載の発明は、ソケット側接続端子を有したリレー接続装置に対して、着脱自在に装着可能な接続端子カバーであって、ケーシングと、任意の前記ソケット側接続端子と１対１で導通可能、且つ前記ケーシングに対して夫々着脱自在に構成された複数のカバー側接続端子、及び前記各カバー側接続端子間を電気的に接続する接続部材を備えた少なくとも１つのジャンパー部材を含む代替回路形成部と、を備えたことを特徴とする。
請求項３に記載の発明は、前記カバー側接続端子を前記ケーシングに固定する固定手段を備えたことを特徴とする。
請求項４に記載の発明は、前記代替回路形成部を収容するケーシングと、前記ケーシングに設けた開口部を開閉する蓋部材を備え、前記蓋部材は前記代替回路形成部を外部から視認可能な透明な素材から形成されていることを特徴とする。
【発明の効果】
【０００９】
本発明の接続端子カバーが備える代替回路形成部は、内部接続端子間を任意に断接可能なジャンパー部材、又はケーシングに対して着脱自在なカバー側接続端子を有するジャンパー部材を備えており、回路構成を自在に変更可能である。従って、リレー接続装置側において特別な配線変更をしなくても、接続端子カバーの代替回路形成部によって所望の代替回路を形成することができる。
【図面の簡単な説明】
【００１０】
【図１】本発明の第一の実施形態に係るソケットカバーを示す図であり、（ａ）はソケットカバーを正面側から観察した一部透視斜視図であり、（ｂ）は（ａ）の後方側の一部分を示した斜視図である。
【図２】（ａ）は代替回路形成部の斜視図であり、（ｂ）はジャンパー端子の例を示す図である。
【図３】ソケットカバーによって形成される代替回路の例について説明するための模式図であり、（ａ）はリレー装置が装着された変更前の回路を示し、（ｂ）はソケットカバーが装着された変更後の回路を示す図である。
【図４】図３に示す代替回路を形成するソケットカバーを示す図であり、（ａ）は代替回路形成部の上面図であり、（ｂ）は（ａ）のＡ−Ａ断面図であり、（ｃ）は（ａ）のＢ−Ｂ断面図である。
【図５】本発明の第二の実施形態に係るソケットカバーを示す図であり、（ａ）はソケットカバーの一部透視斜視図であり、（ｂ）はジャンパー部材及びソケット側接続端子を示す斜視図である。
【図６】リレーソケットの上面図である。
【図７】リレー装置を示す図であり、（ａ）は斜視図であり、（ｂ）は底面図である。
【発明を実施するための形態】
【００１１】
本発明に係る接続端子カバーは、リレー装置の代わりにリレーソケットに装着するだけで、回路変更を実現できる点に特徴がある。従って、リレー装置を撤去する場合におけるリレーソケットの撤去作業、及び配線変更作業が不要となる。
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
〔第一の実施形態〕
本発明の第一の実施形態に係るソケットカバー（接続端子カバー）について図１に基づいて説明する。図１は、本発明の第一の実施形態に係るソケットカバーを示す図であり、（ａ）はソケットカバーを正面側から観察した一部透視斜視図であり、（ｂ）は（ａ）の後方側の一部分を示した斜視図である。本実施形態に係るソケットカバーは、リレー装置をソケットカバーから取り外した場合に、外部配線間に構築されるべき回路構成を構築する代替回路形成部を備えている点に特徴がある。
【００１４】
ソケットカバー１は、ソケット側接続端子１０３を有したリレーソケット１００（図６）に対して、着脱自在に装着されるカバーである。ソケットカバー１は、各ソケット側接続端子１０３と１対１で導通可能な複数のカバー側接続端子１０（１０ａ、１０ｂ、１０ｃ、１０ｄ）と、各カバー側接続端子１０と１対１で導通する複数の内部接続端子４３（４３ａ、４３ｂ、４３ｃ、４３ｄ）を有した代替回路形成部４０と、を備えている。代替回路形成部４０は、図２（ａ）に示すようなジャンパー部材４５を用いて各内部接続端子４３間を任意に断接することによって所望の代替回路を形成する。
【００１５】
＜カバー側接続端子＞
カバー側接続端子１０はソケット側接続端子１０３と対となる端子であり、図７のリレー装置１２０のリレー側接続端子１２１と同様の構成を有している。即ち、カバー側接続端子１０はソケット側接続端子１０３と導通する雄型の端子であり、カバー側接続端子１０はソケット側接続端子１０３に嵌合することにより、ソケット側接続端子１０３に対して電気的・機械的に固定される。
カバー側接続端子１０は、リレー装置１２０をソケットカバー１から取り外した場合に、各外部配線１１０間に構築されるべき回路構成を構築するために必要な数だけあれば足りる。従って、カバー側接続端子１０の数はソケット側接続端子１０３よりも少数であっても構わない。即ち、ソケットカバー１は、ソケット側接続端子１０３のうちの少なくとも一部のソケット側接続端子１０３と導通可能な数のカバー側接続端子１０を備えていればよい。
なお、カバー側接続端子１０の個数はソケット側接続端子１０３の個数と同数とした方が、ソケットカバー１の汎用性を高めることができて好適である。
【００１６】
＜ケーシング＞
ソケットカバー１は、絶縁性のケーシング２０を備えている。ケーシング２０は、その内部に代替回路形成部４０を収容する。ケーシング２０は、代替回路形成部４０を収容可能な中空部を有していれば、その形状は自由に選定できる。カバー側接続端子１０は、ケーシング２０の底面２０ａ（一面）から突出している。
ケーシング２０の上部には、ケーシングの上部開口２２を開閉する蓋部材２３が配置されている。蓋部材２３は、その一端をヒンジ部２１によってケーシング２０に対して回動自在に連結されている。
蓋部材２３は、例えば樹脂等の絶縁体からなる。蓋部材２３は透明であっても不透明であってもよいが、アクリル樹脂等の透明な素材を用いた方が、代替回路形成部４０に形成された代替回路の構成を外部から一目で確認することができて好適である。
ケーシング２０は、蓋部材２３を閉止状態に維持するロック手段２５を備えている。ロック手段２５は、例えばケーシング２０の適所に配置された磁石２６と、蓋部材２３に配置されて磁石２６と吸着する磁性体２７とから構成することができる。なお、上記ロック手段は一例であって、この他の態様のロック手段を用いてもよい。例えば、蓋部材２３に設けた掛止部としてのフック、及びケーシングに設けられてフックが係止される被掛止部をロック手段としてもよいし、ケーシング２０に設けたネジ穴、及びネジ穴内に螺着すると共に蓋部材２３をケーシング２０に対して固定するネジをロック手段としてもよい。
ケーシング２０の底面２０ａには、リレーソケット１００のガイド手段１０７と対となる被ガイド手段２９が設けられている。被ガイド手段２９の構成は、リレー装置１２０に設けた被ガイド手段１２３と同様の構成であるため、その説明を省略する。
【００１７】
＜代替回路形成部＞
図２（ａ）は代替回路形成部の斜視図であり、（ｂ）はジャンパー端子の例を示す図である。
代替回路形成部４０は、絶縁性の基板４１と、基板４１に形成された複数の内部接続端子４３（４３ａ、４３ｂ、４３ｃ、４３ｄ）と、任意の内部接続端子４３間を電気的に断接する着脱自在なジャンパー部材４５とを備える。基板４１はケーシング２０の底部に一体化されており、基板４１の底面はケーシング２０の底面２０ａを構成する。
【００１８】
＜内部接続端子＞
内部接続端子４３は基板４１に形成された端子であり、夫々カバー側接続端子１０と１対１で導通している。図示する内部接続端子４３はジャンパー部材４５を挿入可能な中空部を有した雌型端子である。
【００１９】
＜ジャンパー部材＞
ジャンパー部材４５には、絶縁被覆された被覆電線を用いることが望ましい。被覆電線を用いることで、ジャンパー部材４５同士の接触による短絡事故や地絡事故等を防止することができる。また、ジャンパー部材４５には、柔軟性のある電線を用いることが望ましい。このような電線は、折り曲げ加工が比較的容易であり、内部接続端子４３間の接続を容易にする。
ジャンパー部材４５の両端部には、内部接続端子４３と導通可能な導体からなる雄型のジャンパー端子４７を備えている。ジャンパー端子４７は、内部接続端子４３に挿入されたときに内部接続端子４３と嵌合して導通する。ジャンパー端子４７には、例えば図２（ｂ）に示すようなファストン端子やギボシ端子、或いはバナナプラグ等を用いることができる。
ジャンパー端子４７として雄型端子を用い、内部接続端子４３としてジャンパー端子４７が嵌合する雌型端子を用いることで、導体同士の接触による電気的固定（導通）と、嵌合による機械的な固定とを同時に実現できる。このような接続関係を用いる場合、内部接続端子４３は、通常の使用状態においてジャンパー端子４７が自然に抜け落ちない程度に、ジャンパー端子４７を固定できればよい。
なお、内部接続端子を雄型端子とし、ジャンパー端子を雄型端子に嵌合する雌型端子としてもよい。
【００２０】
＜内部接続端子／ジャンパー部材の変形例＞
図示するジャンパー部材４５は内部接続端子４３に対して嵌合により固定される構成であるが、ジャンパー部材４５は、内部接続端子４３に対して自在に着脱可能、且つ導通可能な構成であればどのような形態のものを採用してもよい。
例えば、代替回路形成部が、内部接続端子として端子ネジを備え、ジャンパー部材がジャンパー端子として丸型又はＹ型の圧着端子を備えた構成としてもよい。この場合、ジャンパー部材は、代替回路形成部に端子ネジにより着脱自在にネジ止め固定される。
また、代替回路形成部は、接触により互いに電気的に接続される接点としての内部接続端子とジャンパー端子を備えた構成としてもよい。
【００２１】
＜代替回路について＞
図３は、ソケットカバーによって形成される代替回路の例について説明するための模式図であり、（ａ）はリレー装置が装着された変更前の回路を示し、（ｂ）はソケットカバーが装着された変更後の回路を示す図である。図４は、図３に示す代替回路を形成するソケットカバーを示す図であり、（ａ）は代替回路形成部の上面図であり、（ｂ）は（ａ）のＡ−Ａ断面図であり、（ｃ）は（ａ）のＢ−Ｂ断面図である。
図４及び図６を参照すると、ソケットカバー１をリレーソケット１００に装着した場合、ソケットカバー１の内部接続端子４３は、カバー側接続端子１０、ソケット側接続端子１０３、及び外部接続端子１０５を介して外部配線１１０と１対１にて接続される。従って、１つの内部接続端子４３は、１つの外部配線１１０をソケットカバー１内に電気的に引き出す働きを有する。
例えば、内部接続端子４３ｃと内部接続端子４３ｄとをジャンパー部材４５にて接続した場合、内部接続端子４３ｃと導通する外部配線１１０ｃは、内部接続端子４３ｄと導通する外部配線１１０ｄと電気的に接続される。即ち、外部配線１１０ｃと外部配線１１０ｄとを直接的に接続する工事を行わずして、ソケットカバー１にて外部配線１１０ｃと外部配線１１０ｄとを電気的に接続することができる。
また、ジャンパー部材４５にて接続されない内部接続端子４３ａ、４３ｂ間は、回路が開放した状態となる。即ち、回路的には外部配線間を接続しない状態と同様である。
このように代替回路形成部４０は、リレーソケットに装着されていたリレー装置を撤去した場合に外部配線間に構築されるべき接続関係を形成することが可能である。代替回路形成部４０に所定の接続関係が構築されたソケットカバー１をリレーソケット１００に装着するだけで回路構成を変更することができる。
【００２２】
＜代替回路の構成例＞
代替回路の例について図３及び図４に基づいて説明する。
図３に示す送電系統は甲母線１３１と乙母線１３２とを備え、甲母線１３１と乙母線１３２とは回路１３３（（ａ）に示す１３３Ａ、又は（ｂ）に示す１３３Ｂ）によって接続されている。
図３（ａ）に示す回路１３３Ａは、外部配線１１０（１１０ａ、１１０ｂ、１１０ｃ、１１０ｄ）が接続されたリレーソケット１００を備え、リレーソケット１００には、リレー装置Ｘが装着されている。リレー装置Ｘは接点１２５を有しており、外部配線１１０ａ、１１０ｂに流れる電気の状態に応じて接点１２５を「入」又は「切」にする。なお、リレー装置Ｙはリレー装置Ｘの接点１２５が「入」になったときに動作するリレー装置である。また、回路１３３に設けられた２つのスイッチＳ１、Ｓ２は、回路１３３への通電をオン又はオフするためのスイッチである。
【００２３】
図３（ａ）に示す送電系統からリレー装置Ｘを撤去して、ソケット側接続端子１０３ａ、１０３ｂ間（外部配線１１０ａ、１１０ｂ間）を開放した状態（切り離した状態）とし、ソケット側接続端子１０３ｃ、１０３ｄ間（外部配線１１０ｃ、１１０ｄ間）を閉路した状態（接続した状態）とする場合について考える。
従来は、不要となる回路部材であるリレーソケット１００、外部配線１１０ａ、１１０ｂ、及びスイッチＳ１を撤去すると共に、外部配線１１０ｃ、１１０ｄ間を接続する必要があり、作業が非常に煩雑であった。
本発明においては図４に示すように、予め、代替回路形成部４０の内部接続端子４３ｃ、４３ｄ間をジャンパー部材４５によって接続したソケットカバー１を作成しておく。作成したソケットカバー１を、撤去したリレー装置１２０の代わりにリレーソケット１００に装着するだけで、図３（ｂ）に示すように所望の回路１３３Ｂを形成することができる。
【００２４】
なお、ソケット側接続端子間は、基本的には、接続した回路が短絡状態になる可能性がある場合は開放し、接続した回路が短絡状態になる可能性がない場合は接続（短絡）すればよい。但し、リレーソケット１００には種々のリレー装置１２０が装着されることから、端子間を開放するか短絡するかは、リレー装置１２０の接点構成に応じて当該回路に最適な回路構成をその都度検討した上で、決定する必要がある。
【００２５】
以上のように本実施形態にかかるソケットカバーは、リレーソケットに装着されていたリレー装置を撤去した場合に外部配線間に構築されるべき接続関係を代替回路形成部にて形成することができる。従って、本実施形態によれば、ソケットカバーをリレーソケットに装着するだけで、リレーソケットや外部配線の撤去、或いは外部配線の接続等の工事をすることなく、リレー装置の撤去に伴う回路変更が可能となる。また、代替回路形成部は、着脱自在なジャンパー部材により接続関係を自由に変更できるので、汎用性の高いソケットカバーを提供できる。
【００２６】
〔第二の実施形態〕
本発明の第二の実施形態に係るソケットカバーについて図５に基づいて説明する。図５は、本発明の第二の実施形態に係るソケットカバーを示す図であり、（ａ）はソケットカバーの一部透視斜視図であり、（ｂ）はジャンパー部材及びソケット側接続端子を示す斜視図である。本実施形態に係るソケットカバーは、ジャンパー部材の両端部にソケット側接続端子を一体化した点に特徴がある。第一の実施形態と同一の構成には同一の符号を付してその説明を省略する。
【００２７】
ソケットカバー２の代替回路形成部５０は、ケーシング２０の底部に一体化された絶縁性の基板５１と、基板５１に形成された複数の貫通穴５３（５３ａ、５３ｂ、５３ｃ、５３ｄ）と、任意の貫通穴５３内に挿入されるカバー側接続端子５７、５７を両端部に有したジャンパー部材５５と、を備える。
基板５１の底面はケーシング２０の底面２０ａを構成する。また、底面２０ａからは被ガイド手段２９が突出形成されている。貫通穴５３は、リレーソケット１００のソケット側接続端子１０３と対応する位置に形成されている。ジャンパー部材５５の２つのカバー側接続端子５７、５７は、接続部材５９によって電気的に接続されている。
代替回路形成部５０は、カバー側接続端子５７を基板５１に固定して、カバー側接続端子５７のぐらつきを防止する為の固定手段を有する。固定手段は、例えば、貫通穴５３の内周面に形成された雌ネジ部５４と、カバー側接続端子５７の接続部材５９側（基端部）の外面に形成されて、雌ネジ部５４と螺合する雄ネジ部５８と、から構成することができる。なお、上記固定手段は一例であって、カバー側接続端子５７を基板５１に固定することができれば、他の構成としてもよい。
【００２８】
本実施形態に係るソケットカバーの使用方法は、第一の実施形態と略同様である。まず、所望の代替回路が形成されるように、ジャンパー部材５５の各カバー側接続端子５７をケーシング２０内部から貫通穴５３内に挿入して底面２０ａから突出させる。また。カバー側接続端子５７の雄ネジ部５８を貫通穴５３内の雌ネジ部５４に螺着して、カバー側接続端子５７を基板５１へ固定する。
このようにして作成したソケットカバー２の底面２０ａからは、被ガイド手段２９と少なくとも２つのカバー側接続端子５７が突出している。ソケットカバー２をリレーソケット１００に装着したとき、カバー側接続端子５７がソケット側接続端子１０３に電気的・機械的に固定されると同時に、所望の代替回路を形成することができる。
【００２９】
〔本発明の作用、効果のまとめ〕
＜第一の実施態様＞
本態様は、ソケット側接続端子１０３を有したリレー接続装置（リレーソケット１００）に対して着脱自在に装着可能な接続端子カバー（ソケットカバー１）であって、ソケット側接続端子のうちの少なくとも一部のソケット側接続端子と１対１で導通可能な複数のカバー側接続端子１０と、各カバー側接続端子と１対１で導通する複数の内部接続端子４３、及び各内部接続端子間を任意に断接可能なジャンパー部材４５を有した代替回路形成部４０と、を備えたことを特徴とする。
本態様によれば、内部接続端子間をジャンパー部材にて任意に断接することによって、代替回路形成部内に形成する回路の構成を自在に変更可能である。従って、リレー接続装置側において特別な配線変更をしなくても、接続端子カバーの代替回路形成部によって所望の代替回路を形成することができる。
【００３０】
＜第二の実施態様＞
本態様は、ソケット側接続端子１０３を有したリレー接続装置（リレーソケット１００）に対して着脱自在に装着可能な接続端子カバー（ソケットカバー２）であって、ケーシング２０と、任意のソケット側接続端子と１対１で導通可能、且つケーシングに対して夫々着脱自在に構成された複数のカバー側接続端子５７、及び各カバー側接続端子間を電気的に接続する接続部材５９を備えた少なくとも１つのジャンパー部材５５を含む代替回路形成部５０と、を備えたことを特徴とする。
本態様によれば、カバー側接続端子を有するジャンパー部材をケーシングに対して着脱することによって、代替回路形成部内に形成する回路の構成を自在に変更可能である。従って、リレー接続装置側において特別な配線変更をしなくても、接続端子カバーの代替回路形成部によって所望の代替回路を形成することができる。
【００３１】
＜第三の実施態様＞
本態様は、カバー側接続端子５７をケーシング２０に固定する固定手段（雌ネジ部５４、雄ネジ部５８）を備えたことを特徴とする。
第二の態様の接続端子カバーは、カバー側接続端子自体を着脱する構成である。本態様によれば、カバー側接続端子をケーシングに対して固定するので、カバー側接続端子のぐらつきが防止される。
【００３２】
＜第四の実施態様＞
本態様は、代替回路形成部４０、５０を収容するケーシング２０と、ケーシングに設けた開口部（上部開口２２）を開閉する蓋部材２３を備え、該蓋部材は代替回路形成部を外部から視認可能な透明な素材から形成されていることを特徴とする。
本態様によれば、代替回路形成部に形成された代替回路の構成を外部から一目で確認することができる。
【符号の説明】
【００３３】
Ｓ１、Ｓ２…スイッチ、１、２…ソケットカバー（接続端子カバー）、１０…カバー側接続端子、２０…ケーシング、２０ａ…底面、２１…ヒンジ部、２２…上部開口（開口部）、２３…蓋部材、２５…ロック手段、２６…磁石、２７…磁性体、２９…被ガイド手段、４０…代替回路形成部、４１…基板、４３…内部接続端子、４５…ジャンパー部材、４７…ジャンパー端子、５０…代替回路形成部、５１…基板、５３…貫通穴、５４…雌ネジ部、５５…ジャンパー部材、５７…カバー側接続端子、５８…雄ネジ部、５９…接続部材、１００…リレーソケット（リレー接続装置）、１０１…ベース、１０１ａ…上面、１０３…ソケット側接続端子、１０５…外部接続端子、１０７…ガイド手段、１１０…外部配線、１２０…リレー装置、１２０ａ…底面、１２１…リレー側接続端子、１２３…被ガイド手段、１２５…接点、１３１…甲母線、１３２…乙母線、１３３、１３３Ａ、１３３Ｂ…回路
【図１】
2016152201.tif 000003
【図２】
2016152201.tif 000004
【図３】
2016152201.tif 000005
【図４】
2016152201.tif 000006
【図５】
2016152201.tif 000007
【図６】
2016152201.tif 000008
【図７】
2016152201.tif 000009